(57)【要約】      （修正有）【課題】大画面パネルを用いたプラズマディスプレイ装置であっても、パネル駆動電圧を下げ、低消費電力で駆動できるプラズマディスプレイ装置を提供する。【解決手段】複数の走査電極１０および複数の維持電極１１を配置した前面基板１と、複数の走査電極１０および複数の維持電極１１と立体交差するように複数のデータ電極２１を配置した背面基板２とを対向配置したプラズマディスプレイパネルを備えたプラズマディスプレイ装置において、走査電極１０および維持電極１１は、プラズマディスプレイパネルの水平方向に対して０度を超えかつ９０度未満の所定の角度を持って配線され、データ電極２１と直交しない。【選択図】図１
2013214450.tif 000002
【特許請求の範囲】
【請求項１】
複数の走査電極および複数の維持電極を配置した前面基板と、上記複数の走査電極および上記複数の維持電極と立体交差するように複数のデータ電極を配置した背面基板とを対向配置したプラズマディスプレイパネルを備えたプラズマディスプレイ装置において、
上記複数の走査電極および上記複数の維持電極は、上記プラズマディスプレイパネルの水平方向に対して０度を超えかつ９０度未満の所定の角度を持って配線され、上記複数のデータ電極と直交しないことを特徴とするプラズマディスプレイ装置。
【請求項２】
上記所定の角度は、０度を超えかつ４８度以下であることを特徴とする請求項１記載のプラズマディスプレイ装置。
【請求項３】
上記所定の角度は、０度を超えかつ３０度以下であることを特徴とする請求項１記載のプラズマディスプレイ装置。
【請求項４】
上記前面基板の上部に設けられ、複数の配線をそれぞれ有する複数の第１の接続手段と、
上記前面基板の下部に設けられ、複数の配線をそれぞれ有する複数の第２の接続手段とをさらに備え、
上記プラズマディスプレイパネルの最上部の上記複数の走査電極および上記複数の維持電極は上記各第１の接続手段の複数の配線と接続され、
上記プラズマディスプレイパネルの最下部の上記複数の走査電極および上記複数の維持電極は上記各第２の接続手段の複数の配線と接続され、
上記プラズマディスプレイパネルの背面に設けられ、上記各第１の接続手段の複数の配線と、上記各第２の接続手段の複数の配線とを接続する複数の背面配線をさらに備えたことを特徴とする請求項１〜３のうちのいずれか１つに記載のプラズマディスプレイ装置。
【請求項５】
上記背面基板の下部に設けられ、複数の配線をそれぞれ有する複数の第３の接続手段をさらに備え、
上記プラズマディスプレイパネルの最下部の上記各データ電極の複数の配線は上記各第３の接続手段の複数の配線と接続され、
上記各第２の接続手段と上記各第３の接続手段とが重ならないように水平方向で交互に配置されていることを特徴とする請求項４記載のプラズマディスプレイ装置。
【請求項６】
上記各第１の接続手段、上記各第２の接続手段および上記各第３の接続手段は、フレキシブルプリントケーブルであることを特徴とする請求項５記載のプラズマディスプレイ装置。
【請求項７】
上記背面基板の背面側に設けられたシャーシ部材をさらに備え、
上記複数の背面配線は、上記背面基板と上記シャーシ部材との間に配置されることを特徴とする請求項４〜６のうちのいずれか１つに記載のプラズマディスプレイ装置。
【請求項８】
上記背面基板の背面に形成された金属膜の導電性シートをさらに備え、
上記背面配線は上記導電性シートと上記シャーシ部材との間に配置されることを特徴とする請求項７記載のプラズマディスプレイ装置。
【発明の詳細な説明】
【技術分野】
【０００１】
本発明は、交流面放電型のプラズマディスプレイパネルを用いたプラズマディスプレイ装置に関する。
【背景技術】
【０００２】
プラズマディスプレイパネル（以下、「パネル」と略記する。）として代表的な交流面放電型パネルは、対向配置された前面基板と背面基板との間に多数の放電セルが形成されている。
【０００３】
前面基板上には走査電極と維持電極とからなる表示電極対が互いに平行に複数形成され、背面基板上にはデータ電極が平行に複数形成されている。そして表示電極対とデータ電極とが立体的に交差するように前面基板と背面基板とが対向配置されて密封され、内部の放電空間には放電ガスが封入されている。ここで表示電極対とデータ電極との対向する部分に放電セルが形成される。
【０００４】
パネルを駆動する方法としては、１フィールド期間を複数のサブフィールドに分割した上で、発光させるサブフィールドの組み合わせによって階調表示を行う方法が用いられている。各サブフィールドは、初期化期間、書込み期間および維持期間を有する。初期化期間では初期化放電を発生し、続く書込み動作に必要な壁電荷を各電極上に形成する。書込み期間では、表示を行うべき放電セルで選択的に書込み放電を発生させ壁電荷を形成する。そして維持期間では、サブフィールド毎にあらかじめ決められた輝度重みに応じた数の維持パルスを表示電極対に交互に印加し、書込み放電を起した放電セルで維持放電を発生させ発光させることにより画像表示を行う。
【０００５】
近年、環境を考慮した電化製品の需要が高まっており、低消費電力化されたプラズマディスプレイ装置が提案されている。例えば特許文献１のプラズマディスプレイ装置はデータドライバ数を減らした駆動回路の構成をとることで低消費電力化を図っている。また、特許文献２のプラズマディスプレイ装置は前面基板の誘電体層に凹部を形成し、放電空間を広げることで発光効率を上げ、低消費電力化を図っている。
【先行技術文献】
【特許文献】
【０００６】
【特許文献１】特開２００９−２１２０３６号公報
【特許文献２】特許第４１７８８２７号公報
【発明の概要】
【発明が解決しようとする課題】
【０００７】
しかしながら、パネルの大型化、高画質化に伴いパネルを駆動するための電力は増加傾向にあり、従来のプラズマディスプレイ装置ではいまだにパネルの消費電力が大きいという課題があった。
【０００８】
本発明の目的は以上の課題を解決し、大画面パネルを用いた場合であっても、パネル駆動電圧を下げ、低消費電力で駆動できるプラズマディスプレイ装置を提供することにある。
【課題を解決するための手段】
【０００９】
本発明に係るプラズマディスプレイ装置は、複数の走査電極および複数の維持電極を配置した前面基板と、上記複数の走査電極および上記複数の維持電極と立体交差するように複数のデータ電極を配置した背面基板とを対向配置したプラズマディスプレイパネルを備えたプラズマディスプレイ装置において、
上記複数の走査電極および上記複数の維持電極は、上記プラズマディスプレイパネルの水平方向に対して０度を超えかつ９０度未満の所定の角度を持って配線され、上記複数のデータ電極と直交しないことを特徴とする。
【００１０】
また、上記プラズマディスプレイ装置において、上記所定の角度は、０度を超えかつ４８度以下であることを特徴とする。
【００１１】
また、上記プラズマディスプレイ装置において、上記所定の角度は、０度を超えかつ３０度以下であることを特徴とする。
【００１２】
さらに、上記プラズマディスプレイ装置において、上記前面基板の上部に設けられ、複数の配線をそれぞれ有する複数の第１の接続手段と、
上記前面基板の下部に設けられ、複数の配線をそれぞれ有する複数の第２の接続手段とをさらに備え、
上記プラズマディスプレイパネルの最上部の上記複数の走査電極および上記複数の維持電極は上記各第１の接続手段の複数の配線と接続され、
上記プラズマディスプレイパネルの最下部の上記複数の走査電極および上記複数の維持電極は上記各第２の接続手段の複数の配線と接続され、
上記プラズマディスプレイパネルの背面に設けられ、上記各第１の接続手段の複数の配線と、上記各第２の接続手段の複数の配線とを接続する複数の背面配線をさらに備えたことを特徴とする。
【００１３】
さらに、上記プラズマディスプレイ装置において、上記背面基板の下部に設けられ、複数の配線をそれぞれ有する複数の第３の接続手段をさらに備え、
上記プラズマディスプレイパネルの最下部の上記各データ電極の複数の配線は上記各第３の接続手段の複数の配線と接続され、
上記各第２の接続手段と上記各第３の接続手段とが重ならないように水平方向で交互に配置されていることを特徴とする。
【００１４】
またさらに、上記プラズマディスプレイ装置において、上記各第１の接続手段、上記各第２の接続手段および上記各第３の接続手段は、フレキシブルプリントケーブルであることを特徴とする。
【００１５】
またさらに、上記プラズマディスプレイ装置において、上記背面基板の背面側に設けられたシャーシ部材をさらに備え、
上記複数の背面配線は、上記背面基板と上記シャーシ部材との間に配置されることを特徴とする。
【００１６】
また、上記プラズマディスプレイ装置において、上記背面基板の背面に形成された金属膜の導電性シートをさらに備え、
上記背面配線は上記導電性シートと上記シャーシ部材との間に配置されることを特徴とする。
【発明の効果】
【００１７】
本発明に係るプラズマディスプレイ装置によれば、パネルを構成する複数の走査電極および維持電極は、プラズマディスプレイパネルの水平方向に対して０度を超えかつ９０度未満の所定の角度を持って配線され、複数のデータ電極と直交しない構成としたので、パネルの駆動電圧を下げることができ、低消費電力で駆動できるプラズマディスプレイ装置を提供することが可能となる。さらに、好ましくは、背面配線を導電性シートとシャーシ部材の間に配置する構成とすることで不要輻射を低減することができる。
【図面の簡単な説明】
【００１８】
【図１】本発明の第１の実施形態に係るプラズマディスプレイ装置のパネル４１の一部の構造を示す断面を含む透視斜視図である。
【図２】図１のプラズマディスプレイ装置のパネル４１の電極の配列の一例を示す電極配列図である。
【図３】図１のプラズマディスプレイ装置の駆動回路の構成の一例を示すブロック図である。
【図４】図２のパネル４１の各電極に印加される駆動電圧波形を示す波形図である。
【図５Ａ】図４の書込み期間中にパネル４１の各放電セルが何番目に書込まれるかを示すパネル４１の正面図である。
【図５Ｂ】図４の書込み期間中に従来のパネルの各放電セルが何番目に書込まれるかを示すパネル４１の正面図である。
【図６】図１のプラズマディスプレイ装置のパネル４１を構成する前面基板１の放電空間側から見た前面基板１の上面図である。
【図７】図１のプラズマディスプレイ装置のパネル４１を構成する背面基板２の放電空間側から見た背面基板２の上面図である。
【図８】図６の前面基板１と図７の背面基板２とを貼り合わせたパネル４１の前面基板１側から見たパネル４１の上面図である。
【図９Ａ】図８のパネル４１の下辺部の一部を示す拡大斜視図である。
【図９Ｂ】図８の背面基板引き回し用ＦＰＣ５３ｂを背面基板２の背面に引き回した時のパネル４１の下辺部の一部を示す拡大斜視図である。
【図９Ｃ】本発明の第１の実施形態の変形例に係る背面基板引き回し用ＦＰＣ６３を示す拡大斜視図である。
【図９Ｄ】図９Ｃの背面基板引き回し用ＦＰＣ６３を背面基板２の背面に引き回した時のパネル４１の下辺部の一部を示す拡大斜視図である。
【図１０】図１のパネル４１を組み込んだプラズマディスプレイ装置の全体構成の一例を示す分解斜視図である。
【図１１Ａ】図１のプラズマディスプレイ装置のパネル４１のシャーシ部材８２に貼り合わされる側から見たパネル４１の上面図である。
【図１１Ｂ】本発明の第１の実施形態の変形例に係るパネル８１のシャーシ部材８２に貼り合わされる側から見たパネル８１の上面図である。
【図１２Ａ】図１のプラズマディスプレイ装置のパネル４１の表示画素７０の拡大図である。
【図１２Ｂ】従来のプラズマディスプレイ装置のパネルの表示画素１７０の拡大図である。
【図１３】本発明の第２の実施形態に係るプラズマディスプレイ装置のパネル１０１の一部の構造を示す断面を含む斜視図である。
【図１４】本発明の第２の実施形態に係るプラズマディスプレイ装置のパネル１０１のシャーシ部材８２に貼り合わされる側から見たパネル１０１の上面図である。
【図１５】本発明の第２の実施形態の変形例に係るプラズマディスプレイ装置のパネル２０１のシャーシ部材８２に貼り合わされる側から見たパネル２０１の上面図である。
【図１６】図１５のＡ‐Ａ’線でパネル２０１を切ったときの断面図である。
【発明を実施するための形態】
【００１９】
以下、本発明に係る実施形態について図面を参照して説明する。なお、以下の各実施形態において、同様の構成要素については同一の符号を付して説明を省略する。
【００２０】
第１の実施形態．
図１は、本発明の第１の実施形態に係るプラズマディスプレイ装置のパネル４１の一部の構造を示す断面を含む透視斜視図である。ここで、原則として切断面に平行斜線を引くべきであるが、本発明を理解し易くするために走査電極１０、維持電極１１およびデータ電極２１に平行斜線を引いている。
【００２１】
図１において、パネル４１は、ガラス製の前面基板１と背面基板２を、その間に放電空間３０を形成するように対向配置することにより構成されている。前面基板１上には走査電極１０および維持電極１１とが互いに平行に対をなして構成される帯状の表示電極が複数形成される。そして、走査電極１０および維持電極１１を覆うように誘電体層１２が形成され、誘電体層１２の上に酸化マグネシウムなどからなる保護膜１３が形成される。また、走査電極１０および維持電極１１から構成される一対の帯状の表示電極と平行して外光反射を低減するためのブラックストライプ１４を複数形成してもよい。また、消費電力を減少させるように導電率の高いバス配線１５を走査電極１０および維持電極１１上に形成してもよい。
【００２２】
図１において、背面基板２上には絶縁体層２２で覆われた複数のデータ電極２１が設けられ、その絶縁体層２２上には、放電空間３０を区切る所定の高さの隔壁２３が設けられている。また、絶縁体層２２の表面および隔壁２３の側面にデータ電極２１毎に、紫外線によって赤色（Ｒ）、緑色（Ｇ）および青色（Ｂ）にそれぞれ発光する蛍光体層２４を順次塗布して形成される。そして走査電極１０および維持電極１１とデータ電極２１とが立体交差するように前面基板１と背面基板２とが対向配置されており、その間に形成される放電セルに相当する放電空間３０には放電ガスとして、例えばネオンとキセノンの混合ガスが封入される。詳細には、複数の走査電極１０および複数の維持電極１１はパネル４１の水平方向に対して０度を超えかつ９０度未満の所定の角度θ（図１の角度θに対応）を持って配線され、パネル４１の垂直方向に配列された複数のデータ電極２１は複数の走査電極１０および複数の維持電極１１と直交しないように配線されている。ここで、直交しないとは、複数の走査電極１０および複数の維持電極１１と複数のデータ電極２１とが交差する角度（９０−θ）度の大きさが９０度とならないように交差することを意味する。なお、図１において、隔壁２３を一方向にしか図示していないが、井桁状や平行四辺形型や六角形型などの構造であってもよい。
【００２３】
図２は、図１のプラズマディスプレイ装置のパネル４１の一例を示す電極配列図である。図２において、複数の走査電極ＳＣ（ｉ）（ｉ＝１〜ｎ）（図１の走査電極１０に対応）および複数の維持電極ＳＵ（ｉ）（ｉ＝１〜ｎ）（図１の維持電極１１に対応）はパネル４１の水平方向に対して０度を超えかつ９０度未満の所定の角度θで配列され、複数の走査電極ＳＣ（ｉ）と複数の維持電極ＳＵ（ｉ）とが互いに平行に複数形成されている。また、図２において、複数の走査電極ＳＣ（ｉ）（ｉ＝１〜ｎ）および複数の維持電極ＳＵ（ｉ）（ｉ＝１〜ｎ）はパネル４１の最上部まで配線されたのちに、パネル４１の背面に形成される複数の背面配線ＢＬＣ（ｉ）（ｉ＝１〜ｎ）（図１１Ａおよび図１１Ｂの背面配線６０に相当）および複数の背面配線ＢＬＵ（ｉ）（ｉ＝１〜ｎ）（図１１Ａおよび図１１Ｂの背面配線６０に相当）を通じて、パネル４１の最下部に接続される。この構造については後述する。
【００２４】
また、図２において、複数のデータ電極Ｄ（ｊ）（ｊ＝１〜ｍ）（図１のデータ電極２１に対応）はパネル４１の垂直方向に配列され、各データ電極Ｄ（ｊ）と各データ電極Ｄ（ｊ＋１）とが互いに平行に複数形成されている。そして、１対の走査電極ＳＣ（ｉ）および維持電極ＳＵ（ｉ）と１つのデータ電極Ｄ（ｊ）とが立体交差した部分に放電セルＣＬ（ｊ、ｉ）が形成され、放電セルＣＬ（ｊ、ｉ）はパネル４１内に（ｎ×ｍ）個形成される。このｎ、ｍは例えばデジタルハイビジョンを表示させるパネルの場合はｎ＝１９２０、ｍ＝１０８０である。図２において、ｔａｎ−１θ＝１０８０／１９２０＝９／１６となるように角度θを設定する（角度θ≒３０度）電極配列図が図示されている。この場合には１本の走査電極および維持電極が背面に引き回される回数は１回以下となる。ただし、角度θの値はこれに限定されるものではない。すなわち、例えば上述した本実施形態の変形例として角度θが０度を超えかつ３０度未満に設定してもよい。さらに、本実施形態の別の変形例として角度θを４５度に設定してもよく、この場合には１本の走査電極および維持電極が背面に引き回される回数は２回以下となる。
【００２５】
図３は、図１のプラズマディスプレイ装置の駆動回路の構成の一例を示すブロック図である。本発明の第１の実施形態に係るプラズマディスプレイ装置は、パネル４１、画像信号処理回路４２、データ電極駆動回路４３、維持パルス発生部４７を備えている走査電極駆動回路４４、維持パルス発生部４７を備えている維持電極駆動回路４５、タイミング発生回路４６および電源回路（図示せず。）を備えて構成されている。図３において、タイミング発生回路４６は、水平同期信号Ｈおよび垂直同期信号Ｖに基づいて、各種のタイミング信号を発生し、各駆動回路ブロックである画像信号処理回路４２、データ電極駆動回路４３、走査電極駆動回路４４、維持電極駆動回路４５に供給する。画像信号処理回路４２は、タイミング発生回路４６から送信されたタイミング信号に基づいて、画像信号Ｓｉｇを入力してサブフィールドごとの画像データに変換してデータ電極駆動回路４３に出力する。
【００２６】
図３において、データ電極駆動回路４３は、タイミング発生回路４６から送信されたタイミング信号に基づいて、サブフィールドごとの画像データを各データ電極Ｄ（１）〜Ｄ（ｍ）に対応する信号に変換し、各データ電極Ｄ（１）〜Ｄ（ｍ）を駆動する。走査電極駆動回路４４は、タイミング発生回路４６により生成されたタイミング信号に基づいて走査電極ＳＣ（１）〜ＳＣ（ｎ）に駆動電圧波形を供給し、維持電極駆動回路４５はタイミング信号に基づいて維持電極ＳＵ（１）〜ＳＵ（ｎ）に駆動電圧波形を供給する。
【００２７】
以上のように構成されたプラズマディスプレイ装置のパネル４１の動作および作用について以下に説明する。
【００２８】
図４は、図２の各電極に印加される駆動電圧波形を示す波形図である。図４において、本発明の第１の実施形態に係るプラズマディスプレイ装置の駆動方法は、１フィールドを複数のサブフィールドに分割し、それぞれのサブフィールドは初期化期間、書込み期間、維持期間を有している。
【００２９】
図４において、第１サブフィールドの初期化期間では、データ電極Ｄ（１）〜Ｄ（ｍ）および維持電極ＳＵ（１）〜ＳＵ（ｎ）を０（Ｖ）に保持し、走査電極ＳＣ（１）〜ＳＣ（ｎ）に対して放電開始電圧以下となる電圧Ｖｉ１（Ｖ）から放電開始電圧を超える電圧Ｖｉ２（Ｖ）に向かって緩やかに上昇するランプ電圧を印加する。すると、すべての放電セルにおいて１回目の微弱な初期化放電を起し、走査電極ＳＣ（１）〜ＳＣ（ｎ）上に負の壁電圧が蓄えられると共に維持電極ＳＵ（１）〜ＳＵ（ｎ）上およびデータ電極Ｄ（１）〜Ｄ（ｍ）上に正の壁電圧が蓄えられる。ここで電極上の壁電圧とは電極を覆う誘電体層１２や蛍光体層２４上に蓄積した壁電荷により生じる電圧を指す。
【００３０】
図４において、その後、維持電極ＳＵ（１）〜ＳＵ（ｎ）を正の電圧Ｖｈ（Ｖ）に保ち、走査電極ＳＣ（１）〜ＳＣ（ｎ）に電圧Ｖｉ３（Ｖ）から電圧Ｖｉ４（Ｖ）に向かって緩やかに下降するランプ電圧を印加する。すると、すべての放電セルにおいて２回目の微弱な初期化放電を起し、走査電極ＳＣ（１）〜ＳＣ（ｎ）上と維持電極ＳＵ（１）〜ＳＵ（ｎ）上との間の壁電圧が弱められ、データ電極Ｄ（１）〜Ｄ（ｍ）上の壁電圧も書込み動作に適した値に調整される。
【００３１】
図５Ａは、図４の書込み期間中にパネル４１の各放電セルが何番目に書込まれるかを示すパネル４１の正面図である。図５Ａでは一例としてフルハイビジョン表示させるパネル（ｎ＝１９２０、ｍ＝１０８０）で、かつ、θ＝４５度とした場合にパネル４１の各放電セルが書込まれる順番の一例を示している。
【００３２】
図５Ｂは、図４の書込み期間中に従来のパネルの各放電セルが何番目に書込まれるかを示すパネル４１の正面図である。従来のパネルの一番上の放電セルから一番下の放電セルへと順番に書込まれる。
【００３３】
図４において、書込み期間では、走査電極ＳＣ（１）〜ＳＣ（ｎ）を一旦Ｖｒ（Ｖ）に保持する。次に、走査電極ＳＣ（１）に負の走査パルス電圧Ｖａ（Ｖ）を印加するとともにデータ電極Ｄ（１）〜Ｄ（ｍ）のうち１番目に表示すべき放電セルのデータ電極Ｄ（ｋ）（ｋ＝１〜ｍ）に正の書込みパルス電圧Ｖｄ（Ｖ）を印加する。このときデータ電極Ｄ（ｋ）と走査電極ＳＣ（１）との立体交差部の電圧は、外部印加電圧（Ｖｄ−Ｖａ）（Ｖ）にデータ電極Ｄ（ｋ）上の壁電圧と走査電極ＳＣ（１）上の壁電圧とが加算されたものとなり、放電開始電圧を超える。そして、データ電極Ｄ（ｋ）と走査電極ＳＣ（１）との間および維持電極ＳＵ（１）と走査電極ＳＣ（１）との間に書込み放電が起り、この放電セルの走査電極ＳＣ（１）上に正の壁電圧が蓄積され、維持電極ＳＵ（１）上に負の壁電圧が蓄積され、データ電極Ｄ（ｋ）上にも負の壁電圧が蓄積される。
【００３４】
図４において、上述したように、１番目に表示すべき放電セルで書込み放電を起して各電極上に壁電圧を蓄積する書込み動作が行われる。一方、書込みパルス電圧Ｖｄ（Ｖ）を印加しなかったデータ電極Ｄ（１）〜Ｄ（ｍ）と走査電極ＳＣ（１）との立体交差部の電圧は放電開始電圧を超えないので、書込み放電は発生しない。以上の書込み動作をｎ行目の放電セルに至るまで順次実施され書込み期間が終了する。
【００３５】
図４において、続く維持期間では、走査電極ＳＣ（１）〜ＳＣ（ｎ）には第１の電圧として正の維持パルス電圧Ｖｓ（Ｖ）を、維持電極ＳＵ（１）〜ＳＵ（ｎ）には第２の電圧として接地電位、すなわち０（Ｖ）をそれぞれ印加する。このとき書込み放電を起した放電セルにおいては、走査電極ＳＣ（ｉ）上と維持電極ＳＵ（ｉ）上の壁電圧とが加算されたものとなり、放電開始電圧を超える。そして、走査電極ＳＣ（ｉ）と維持電極ＳＵ（ｉ）との間に維持放電が起り、このとき発生した紫外線により蛍光体層が発光する。そして走査電極ＳＣ（ｉ）上に負の壁電圧が蓄積され、維持電極ＳＵ（ｉ）上に正の壁電圧が蓄積される。このときデータ電極Ｄ（ｋ）にも正の壁電圧が蓄積される。書込み期間において書込み放電が起きなかった放電セルでは、維持放電は発生せず、初期化期間の終了時における壁電圧が保持される。
【００３６】
図４において、続いて、走査電極ＳＣ（１）〜ＳＣ（ｎ）には第２の電圧である０（Ｖ）を、維持電極ＳＵ（１）〜ＳＵ（ｎ）には第１の電圧である維持パルス電圧Ｖｓ（Ｖ）をそれぞれ印加する。すると、維持放電を起した放電セルでは、維持電極ＳＵ（ｉ）上と走査電極ＳＣ（ｉ）上との間の電圧が放電開始電圧を超えるので、再び維持電極ＳＵ（ｉ）と走査電極ＳＣ（ｉ）との間に維持放電が起り、維持電極ＳＵ（ｉ）上に負の壁電圧が蓄積され走査電極ＳＣ（ｉ）上に正の壁電圧が蓄積される。
【００３７】
図４において、以降同様に走査電極ＳＣ（１）〜ＳＣ（ｎ）と維持電極ＳＵ（１）〜ＳＵ（ｎ）とに交互に輝度重みに応じた数の維持パルスを印加することにより、書込み期間において書込み放電を起した放電セルで維持放電が継続して行われる。こうして、維持期間における維持動作が終了する。続くサブフィールドにおける初期化期間、書込み期間、維持期間の動作も第１サブフィールドにおける動作と同様のため、説明を省略する。
【００３８】
次に、本発明の第１の実施形態に係るパネル４１の構造について図６〜図９を用いて以下説明する。
【００３９】
図６は、図１のプラズマディスプレイ装置のパネル４１を構成する前面基板１の放電空間側から見た前面基板１の上面図である。図６において、作図の都合上ｉ＝１〜６としているが、ｉの値はこれに限定されるものではなく、例えばフルハイビジョンを表示するパネルの場合はｉ＝１〜１０８０となる。図６において、画素形成領域５４ａでは走査電極ＳＣ（ｉ）（ｉ＝１〜６）（図１の走査電極１０に対応）および維持電極ＳＵ（ｉ）（ｉ＝１〜６）（図１の維持電極１１に対応）はパネル水平方向に対して角度θ（図１の角度θに対応）で配列されている。走査電極ＳＣ（ｉ）は走査電極駆動回路（図示せず。）から複数の配線を有する複数の走査電極用ＦＰＣ（Ｆｌｅｘｉｂｌｅ  Ｐｒｉｎｔｅｄ  Ｃａｂｌｅ）５２の配線を通って、走査電極用引き出し線５６に接続されている。走査電極用ＦＰＣ５２と走査電極用引き出し線５６とは異方性導電フィルムを用いて圧着するなどの方法により接続される。
【００４０】
図６において、維持電極ＳＵ（ｉ）は維持電極用駆動回路（図示せず。）からの維持電極用ＦＰＣ５１の配線を通って、維持電極用引き出し線５５に接続されている。画素形成領域５４ａの最上部の走査電極ＳＣ（ｉ）および維持電極ＳＵ（ｉ）は走査電極兼維持電極用引き出し線５７ａを介して、前面基板１の上部に設けられた背面基板引き回し用ＦＰＣ５３ａの配線を通って背面基板２の背面に引き回される。また、画素形成領域５４ａの最下部の走査電極ＳＣ（ｉ）および維持電極ＳＵ（ｉ）は走査電極兼維持電極用引き出し線５７ｂを介して、前面基板１の下部に設けられた背面基板引き回し用ＦＰＣ５３ｂの配線を通って背面基板２の背面に引き回される。以上の本実施形態において、背面基板引き回し用ＦＰＣ５３ａおよび背面基板引き回し用ＦＰＣ５３ｂについて説明したが、本発明はこれに限らずＦＰＣ以外の他の種類の接続手段を用いてもよい。具体的には、プラズマディスプレイパネルの最上部の複数の走査電極ＳＣ（ｉ）および複数の維持電極ＳＵ（ｉ）は、各背面基板引き回し用ＦＰＣ５３ａの複数の配線と接続され、プラズマディスプレイパネルの最下部の複数の走査電極ＳＣ（ｉ）および複数の維持電極ＳＵ（ｉ）は各背面基板引き回し用ＦＰＣ５３ｂの複数の配線と接続され、プラズマディスプレイパネルの背面に設けられ、各背面基板引き回し用ＦＰＣ５３ａの複数の配線と、各背面基板引き回し用ＦＰＣ５３ｂの複数の配線とを接続する複数の背面配線６０を備えている。この背面配線６０の構造については後述する。
【００４１】
図７は、図１のプラズマディスプレイ装置のパネル４１を構成する背面基板２の放電空間側から見た背面基板２の上面図である。図７において、作図の都合上、ｊ＝１〜１２となっているが、ｊの値はこれに限定されるものではなく、例えばフルハイビジョンを表示するパネルの場合はｊ＝１〜１９２０となる。図７において、画素形成領域５４ｂではデータ電極Ｄ（ｊ）（ｊ＝１〜１２）（図１のデータ電極２１に対応）はパネルの垂直方向に配列されている。データ電極Ｄ（ｊ）はデータ電極Ｄ（ｊ）用の駆動回路（図示せず。）から複数の配線を有する複数のデータ電極用ＦＰＣ５８の配線を通って、データ電極用引き出し線５９に接続されている。これにより、データ電極Ｄ（ｊ）はデータ電極Ｄ（ｊ）用の駆動回路（図示せず。）からの信号を受信する。なお、データ電極用ＦＰＣ５８は背面基板２の下部に設けられている。以上の本実施形態において、データ電極用ＦＰＣ５８について説明したが、本発明はこれに限らずＦＰＣ以外の他の種類の接続手段を用いてもよい。
【００４２】
図８は、図６の前面基板１と図７の背面基板２とを貼り合わせたパネル４１の前面基板１側から見たパネル４１の上面図である。図８において、前面基板１の画素形成領域５４ａと背面基板２の画素形成領域５４ｂとが互いに一致するように重ねられる。このとき、各背面基板引き回し用ＦＰＣ５３ｂと各データ電極用ＦＰＣ５８とが重ならないように水平方向で交互に配置されている。
【００４３】
図９Ａは、図８のパネル４１の下辺部の一部を示す拡大斜視図である。図９Ａにおいて、前面基板１からの背面基板引き回し用ＦＰＣ５３ｂは背面基板の背面に引き回される前のパネル４１の下辺部の一部が図示される。
【００４４】
図９Ｂは、図８の背面基板引き回し用ＦＰＣ５３ｂを背面基板２の背面に引き回した時のパネル４１の下辺部の一部を示す拡大斜視図である。図９Ｂにおいて、パネル４１の下辺部では背面基板引き回し用ＦＰＣ５３ｂが背面に引き回された時にデータ電極用ＦＰＣ５８に重ならないように形成される。
【００４５】
図１０は、図１のパネル４１を組み込んだプラズマディスプレイ装置の全体構成の一例を示す分解斜視図である。図１０において、パネル４１を収容する筺体は前面枠８０と金属製のバックカバー８４とから構成され、前面枠８０の開口部には光学フィルターおよびパネルの保護を兼ねたガラスなどからなる前面カバーが配置されている。また、この前面カバーには電磁波の不要輻射を抑制するために、例えば銀蒸着が施されていてもよい。さらに、バックカバー８４にはパネル４１等で発生した熱を外部に放出するための複数の通気孔が設けられてもよい。パネル４１は当該パネル４１の背面において金属製のシャーシ部材８２の前面と接着される。この際、パネル４１と当該パネル４１を構成する背面基板２の背面側に設けられたシャーシ部材８２との間に熱伝導シートなどを介し、パネル４１で発生した熱を効率よくシャーシ部材８２に伝える構造としてもよい。さらに、シャーシ部材８２の背面にはパネル４１を表示駆動するための駆動回路ブロック８３が形成された誘電体基板がとりつけられている。パネル４１の縁部に引き出された維持電極用ＦＰＣ５１、走査電極用ＦＰＣ５２およびデータ電極用ＦＰＣ５８の複数の配線はそれぞれ、シャーシ部材８２の四辺の縁部を越えて誘電体基板上に形成された駆動回路ブロック８３と電気的に接続される。
【００４６】
次に、パネル４１の背面に配置される背面配線６０の構造について図１１Ａを用いて説明する。
【００４７】
図１１Ａは、図１のプラズマディスプレイ装置のパネル４１のシャーシ部材８２に貼り合わされる側から見たパネル４１の上面図である。
【００４８】
図１１Ａにおいて、パネル４１を構成する前面基板１に接続されている背面基板引き回し用ＦＰＣ５３ａ、５３ｂが背面基板２の背面に引き回され、背面配線６０に接続部６１を介して接続される。背面配線６０は例えばフラットケーブルやＦＰＣであり、接続部６１は例えばコネクタである。
【００４９】
上述した構成によれば、走査電極１０および維持電極１１をパネル４１の水平方向に対して０度を超えた一定の角度θを持った構造とすることができる。
【００５０】
図１２Ａは、図１のプラズマディスプレイ装置のパネル４１の表示画素７０の拡大図である。図１２Ａにおいて、走査電極１０および維持電極１１はいずれもパネル４１の水平方向に対して０度を超えた一定の角度θを有する。また、走査電極１０と維持電極１１の間隔はｄ１であり、走査電極１０および維持電極１１のパネル垂直方向の幅はｄ２である。また、１つの表示画素７０は、Ｒのサブ画素７０ａとＧのサブ画素７０ｂとＢのサブ画素７０ｃの３つの放電セルで構成される。例えば、１つの画像データは、１つの表示画素７０を構成するＲ、Ｇ、Ｂの各放電セルのサブフィールド毎の発光または非発光に関する情報を有する。
【００５１】
図１２Ｂは、従来のプラズマディスプレイ装置のパネルの表示画素１７０の拡大図である。図１２Ｂにおいて、走査電極１１０と維持電極１１１の間隔はｄ１１であり、走査電極１１０および維持電極１１１のパネル垂直方向の幅はｄ１２である。また、１つの表示画素１７０は、Ｒのサブ画素１７０ａとＧのサブ画素１７０ｂとＢのサブ画素１７０ｃの３つの放電セルで構成される。
【００５２】
図１２Ａおよび図１２Ｂにおいて、本発明の第１の実施形態に係るパネル４１の走査電極１０および維持電極１１のパネル垂直方向の幅ｄ２を従来のプラズマディスプレイ装置のパネルの走査電極１１０および維持電極１１１のパネル垂直方向の幅ｄ１２と同一とする場合、パネル４１の走査電極１０と維持電極１１の間隔ｄ１は、従来のプラズマディスプレイ装置のパネルの走査電極１１０と維持電極１１１との間隔ｄ１１のｃｏｓθ倍となる。維持放電時に発光に必要な電界強度Ｅは、一般的にパネル４１の駆動電圧Ｖ１（図４に示すＶｓに相当）と正の相関があり、パネル４１の走査電極１０と維持電極１１との間隔ｄ１の大きさと負の相関がある。その場合には、パネル４１の走査電極１０と維持電極１１との間隔ｄ１が従来のプラズマディスプレイ装置のパネルの走査電極１１０と維持電極１１１との間隔ｄ１１のｃｏｓθ倍となったとき、パネル４１の駆動電圧Ｖ１は従来のプラズマディスプレイ装置のパネルの駆動電圧よりも下げることが可能となる。例えば、電界強度Ｅとパネル４１の駆動電圧Ｖ１とパネル４１の走査電極１０と維持電極１１の間隔ｄ１との間に以下の（１）式が成立しかつ角度θ＝４５度と仮定すると、パネル４１の駆動電圧Ｖ１は従来のプラズマディスプレイ装置のパネルの駆動電圧に比べて約３０％低減することができ、低消費電力化が実現することが可能となる。さらに、パネル４１の駆動電圧Ｖ１を下げることにより走査電極１０および維持電極１１からの不要輻射も抑制することができる。
【００５３】
【数１】
2013214450.tif 000003
【００５４】
ここで、上述した角度θの範囲について説明する。パネル４１の表示画面の縦横比をｐ：ｑとすると、ｔａｎ−１θ＜ｐ／ｑの場合、１本の走査電極１０および維持電極１１が背面に引き回される回数は１回以下となる。また、ｐ／ｑ＜ｔａｎ−１θ＜２ｐ／ｑの場合、１本の走査電極１０および維持電極１１が背面に引き回される回数は１回もしくは２回となる。ｔａｎ−１θ＞２ｐ／ｑの場合は１本の走査電極１０および維持電極１１が背面に引き回される回数は２回から３回以上となる。現在一般的に使われているディスプレイパネルの表示画面の縦横比は９：１６が多い。従って、ｔａｎ−１θ＝（９×２／１６）となる角度θ≒４８度以下（変形例）とすると、１本の走査電極１０および維持電極１１が背面に引き回される回数は２回以下とすることができる。
【００５５】
以上の実施形態に係るプラズマディスプレイ装置によれば、プラズマディスプレイ装置のパネル４１を構成する走査電極１０および維持電極１１がパネル４１の水平方向に対して０度を超えかつ９０度未満の角度を持って配線されるので、パネル４１の駆動電圧を下げることができ、低消費電力で駆動できるプラズマディスプレイ装置を提供することが可能となる。
【００５６】
以上の実施形態の変形例に係るプラズマディスプレイ装置によれば、プラズマディスプレイ装置のパネル４１を構成する走査電極１０および維持電極１１がパネル４１の水平方向に対して０度を超えかつ４８度以下の角度を持って配線されるので、１本の走査電極１０および維持電極１１が背面に引き回される回数を２回以下とすることができ、走査電極１０および維持電極１１がパネル４１の水平方向に対して４８度よりも大きい角度を持って配線される場合と比べて、配線に必要なコストが低減される。
【００５７】
また、以上の実施形態の別の変形例に係るプラズマディスプレイ装置によれば、プラズマディスプレイ装置のパネル４１を構成する走査電極１０および維持電極１１がパネル４１の水平方向に対して０度を超えかつ３０度以下の角度を持って配線されるので、１本の走査電極１０および維持電極１１が背面に引き回される回数を１回以下とすることができ、走査電極１０および維持電極１１がパネル４１の水平方向に対して３０度よりも大きくかつ４８度以下の角度を持って配線される場合と比べて、駆動電圧Ｖ１は大きくなるが、配線に必要なコストが低減される。
【００５８】
図９Ｃは、本発明の第１の実施形態の変形例に係る背面基板引き回し用ＦＰＣ６３を示す拡大斜視図である。図９Ｃにおいて、前面基板１からの背面基板引き回し用ＦＰＣ６３は背面基板２の背面に引き回される前のパネル４１の下辺部の一部が図示され、前面基板１からの背面基板引き回し用ＦＰＣ６３はくびれを持つ形状を有する。
【００５９】
図９Ｄは、図９Ｃの背面基板引き回し用ＦＰＣ６３を背面基板２の背面に引き回した時のパネル４１の下辺部の一部を示す拡大斜視図である。図９Ｄにおいて、背面基板引き回し用ＦＰＣ６３を背面基板２の背面に引き回された時に背面基板引き回し用ＦＰＣ６３がデータ電極用ＦＰＣ５８に重ならないように形成されやすいという効果を有する。なお、このときの背面基板引き回し用ＦＰＣ６３の配線はくびれの形状に沿って配線される。
【００６０】
図９Ｃおよび図９Ｄにおいても、上述した本発明の第１の実施形態と同様の効果が得ることができる。さらに、図９Ｃおよび図９Ｄにおいて、前面基板１からの背面基板引き回し用ＦＰＣ６３にくびれを持たせる形状としたが、背面基板２からのデータ電極用ＦＰＣ５８にくびれを持たせる形状としても本発明の第１の実施形態と同様の効果を得ることができる。
【００６１】
図１１Ｂは、本発明の第１の実施形態の変形例に係るパネル８１を示すシャーシ部材８２に貼り合わされる側から見たパネル８１の上面図である。ここで、原則として切断面に平行斜線を引くべきであるが、本発明を理解し易くするために走査電極１０、維持電極１１およびデータ電極２１に平行斜線を引いている。ここで、原則として切断面に平行斜線を引くべきであるが、本発明を理解し易くするために導電性シート６２に平行斜線を引いている。図１１Ｂにおいて、パネル８１を構成する背面基板２の背面に形成された金属膜の導電性シート６２が備えられ、背面配線６０が導電性シート６２とシャーシ部材８２との間に配置されることを特徴としている。この構成であっても本発明の第１の実施形態と同様の効果を得ることができ、さらに、背面配線６０からの不要輻射を抑制することが可能となる。また、導電性シート６２は複数に分割された形状を持っていてもよく、さらに、導電性シート６２を設ける場合、図１０のシャーシ部材８２と電気的に接続することにより、背面配線６０からの不要輻射を抑制する効果をさらに向上させることが可能となる。
【００６２】
第２の実施形態．
図１３は、本発明の第２の実施形態に係るプラズマディスプレイ装置のパネル１０１の一部の構造を示す断面を含む斜視図である。ここで、原則として切断面に平行斜線を引くべきであるが、本発明を理解し易くするためにデータ電極２１および背面配線９２ａ、９２ｂに平行斜線を引いている。図１３に示す背面配線９２ａ、９２ｂ（図１１Ａおよび図１１Ｂの背面配線６０に相当）は、図１１Ａおよび図１１ＢのフラットケーブルやＦＰＣなどで配線される背面配線６０の代わりに、背面基板２上に形成されることを特徴とする。
【００６３】
図１３において、まず、ガラス製の背面基板２の上に導電層９０を印刷などにより形成する。この導電層９０は図１１Ｂの導電性シート６２と同様の役割を持っている。次に、絶縁層９１を印刷などにより形成する。さらに、絶縁層９１の上に背面配線９２ａおよび背面配線９２ｂを形成する。背面配線９２ａおよび背面配線９２ｂの幅はデータ電極２１よりも太い構造とすることにより電気抵抗を小さくすることが可能となりパネル１０１の駆動に必要な消費電力を抑制することができる。背面配線９２ａおよび背面配線９２ｂは走査電極１０の背面配線と維持電極１１の背面配線とが交互に並ぶ構造となっている。すなわち、背面配線９２ａが走査電極１０の背面配線の場合は、背面配線９２ｂは維持電極１１の背面配線となる。
【００６４】
図１４は、本発明の第２の実施形態に係るプラズマディスプレイ装置のパネル１０１のシャーシ部材８２に貼り合わされる側から見たパネル１０１の上面図である。図１４において、背面基板２の上辺部および下辺部付近には背面配線９２ａおよび背面配線９２ｂと背面基板引き回し用ＦＰＣ５３ａ、５３ｂの配線と接続するための引き出し線がそれぞれ、図６の走査電極兼維持電極用引き出し線５７ａ、５７ｂと同様に背面配線用引き出し部９４ａ、９４ｂに形成される。
【００６５】
図１４において、次に、背面配線用引き出し部９４ａ、９４ｂに形成された複数の引き出し線を残して、電極保護層９３を形成する。その後、第１の実施の形態と同様に背面基板２の放電空間側の面が形成される。前面基板１の画素形成領域５４ａと背面基板２の画素形成領域５４ｂとが一致するように重ねて貼り合わされ、放電空間内に放電ガスが封入された後、背面基板引き回し用ＦＰＣ５３ａ、５３ｂと背面基板に形成された背面配線用引き出し部９４ａ、９４ｂの引き出し線とを異方性導電フィルムを用いて圧着するなどの手段で接続する。この後は第１の実施の形態と同様にプラズマディスプレイ装置を構成する。
【００６６】
また、背面配線９２ａおよび背面配線９２ｂが形成されていない領域の一部に、保護層９３および絶縁層９１を形成しない構成とし、図１０のシャーシ部材８２と導電層９０を電気的に接続することでシャーシ部材８２と導電層９０とを等電位とし、放射ノイズを抑制する構造としてもよい。その構造の一例を図１５、図１６を用いて説明する。
【００６７】
図１５は、本発明の第２の実施形態の変形例に係るプラズマディスプレイ装置のパネル２０１のシャーシ部材８２に貼り合わされる側から見たパネル２０１の上面図である。図１５において、導電接続部材１００は例えば導電性ガスケットであり、接地導体であるシャーシ部材８２と導電層９０を電気的に接続する。
【００６８】
図１６は、図１５のＡ‐Ａ’線でパネル２０１を切ったときの断面図である。ここでは、切断面に平行斜線を引いている。図１６において、導電接続部材１００にソフトガスケットを使用した場合を図示しており、導電接続部材１００は導電布１０１、弾性材料１０２および接着部１０３から構成されている。さらに、背面基板２において背面配線９２ａおよび背面配線９２ｂが形成されない領域の一部で保護層９３および絶縁層９１を形成しない構造とし、導電層９０の上に導電接続部材１００を設置する。この構造によれば、シャーシ部材８２とパネル２０１とを貼り合わせた時にシャーシ部材８２と導電層９０とが電気的に接続され、放射ノイズを抑制することが可能となる。
【００６９】
以上のように構成されたプラズマディスプレイ装置のパネル１０１、２０１の動作および作用については、第１の実施形態に係るプラズマディスプレイ装置のパネル４１と同一であるので、それらの説明は省略する。
【００７０】
以上の実施形態に係るプラズマディスプレイ装置によれば、第１の実施形態に係るプラズマディスプレイ装置による効果を得ると同時に、背面基板２上に形成された導電層９０がシャーシ部材８２と電気的に接続される構造となっているので、放射ノイズを抑制することが可能となる。
【産業上の利用可能性】
【００７１】
以上詳述したように、本発明に係るプラズマディスプレイ装置によれば、パネルを構成する複数の走査電極および複数の維持電極は、プラズマディスプレイパネルの水平方向に対して０度を超えかつ９０度未満の所定の角度を持って配線され、複数のデータ電極と直交しない構成としたので、パネルの駆動電圧を下げることができ、低消費電力で駆動できるプラズマディスプレイ装置を提供することが可能となる。
【符号の説明】
【００７２】
１…前面基板、
２…背面基板、
１０，１１０…走査電極、
１１，１１１…維持電極、
１２，１１２…誘電体層、
１３…保護膜、
１４…ブラックストライプ、
１５，１１５…バス配線、
２１，１２１…データ電極、
２２…絶縁体層、
２３…隔壁、
２４…蛍光体層、
３０…放電空間、
４１，８１，１０１，２０１…パネル、
４２…画像信号処理回路、
４３…データ電極駆動回路、
４４…走査電極駆動回路、
４５…維持電極駆動回路、
４６…タイミング発生回路、
４７…維持パルス発生部、
５１…維持電極用ＦＰＣ、
５２…走査電極用ＦＰＣ、
５３ａ，５３ｂ，６３…背面基板引き回し用ＦＰＣ
５４ａ，５４ｂ…画素形成領域
５５…維持電極用引き出し線
５６…走査電極用引き出し線
５７ａ、５７ｂ…走査電極兼維持電極用引き出し線、
５８…データ電極用ＦＰＣ、
５９…データ電極用引き出し線、
６０，９２ａ、９２ｂ…背面配線、
６１…接続部、
６２…導電性シート、
８０…前面枠、
８２…シャーシ部材、
８３…駆動回路ブロック、
８４…バックカバー、
７０，１７０…表示画素、
７０ａ，１７０ａ…Ｒのサブ画素、
７０ｂ，１７０ｂ…Ｇのサブ画素、
７０ｃ，１７０ｃ…Ｂのサブ画素、
９０…導電層、
９１…絶縁層、
９３…保護層、
９４ａ，９４ｂ…背面配線用引き出し部、
１００…導電接続部材、
１０１…導電布、
１０２…弾性材料、
１０３…接着部。
【図１】
2013214450.tif 000004
【図２】
2013214450.tif 000005
【図３】
2013214450.tif 000006
【図４】
2013214450.tif 000007
【図５Ａ】
2013214450.tif 000008
【図５Ｂ】
2013214450.tif 000009
【図６】
2013214450.tif 000010
【図７】
2013214450.tif 000011
【図８】
2013214450.tif 000012
【図９Ａ】
2013214450.tif 000013
【図９Ｂ】
2013214450.tif 000014
【図９Ｃ】
2013214450.tif 000015
【図９Ｄ】
2013214450.tif 000016
【図１０】
2013214450.tif 000017
【図１１Ａ】
2013214450.tif 000018
【図１１Ｂ】
2013214450.tif 000019
【図１２Ａ】
2013214450.tif 000020
【図１２Ｂ】
2013214450.tif 000021
【図１３】
2013214450.tif 000022
【図１４】
2013214450.tif 000023
【図１５】
2013214450.tif 000024
【図１６】
2013214450.tif 000025